(57)【要約】      （修正有）【課題】既存のベルトコンベアに備わっているストレッチャーユニットに簡単に設置することができ、ストレッチャーユニットを離れた場所で調整可能な駆動装置を提供する。【解決手段】ストレッチャーユニット１０を備えたベルトコンベアのストレッチャーユニット用駆動装置２０において、ストレッチャーユニット１０の調整ボルト１７に連結する調整ボルト連結回動軸部２１と、調整ボルト連結回動軸部２１を介して正回転又は逆回転に切換回動して調整ボルト１７を回動させる駆動部２２と、駆動部２２を保持し、調整ボルト連結回動軸部２１を調整ボルト１７に連結した状態でストレッチャーユニット１０に着脱自在に固定する取付部２９ａと、駆動部２２の正回転又は逆回転に切換回動の指示をベルトコンベアの外方から行う駆動コントローラ部２３とを備える。【選択図】図１
0003218937.tif 000002
【実用新案登録請求の範囲】
【請求項１】
無端状のベルトが差し渡される一組のテールローラのうちの何れか一方のテールローラの軸受位置をボールネジ機構のネジ軸を調整ボルトとしての回動で調整することによって前記無端状のベルトに対するテンションを変更するストレッチャーユニットを備えたベルトコンベアのストレッチャーユニット用駆動装置において、
前記ストレッチャーユニットの前記調整ボルトに連結する調整ボルト連結回動軸部と、
前記調整ボルト連結回動軸部を介して正回転又は逆回転に切換回動して前記調整ボルトを回動させる駆動部と、
前記駆動部を保持し、前記調整ボルト連結回動軸部を調整ボルトに連結した状態で前記ストレッチャーユニットに着脱自在に固定する取付部と、
前記駆動部の正回転又は逆回転に切換回動の指示を前記ベルトコンベアの外方から行う駆動コントローラ部とを備えたことを特徴とするベルトコンベアのストレッチャーユニット用駆動装置。
【請求項２】
無端状のベルトが差し渡される一組のテールローラのうちの何れか一方のテールローラの軸受位置をボールネジ機構のネジ軸を調整ボルトとしての回動で調整することによって前記無端状のベルトに対するテンションを変更するストレッチャーユニットを備えたベルトコンベアのストレッチャーユニット用駆動装置において、
前記ストレッチャーユニットの前記調整ボルトに連結する調整ボルト連結回動軸部と、
前記調整ボルト連結回動軸部を介して正回転又は逆回転に切換回動して前記調整ボルトを回動させる駆動部と、
前記駆動部を保持し、前記調整ボルト連結回動軸部を調整ボルトに連結した状態で前記ストレッチャーユニットに着脱自在に固定する取付部と、
前記駆動部の正回転又は逆回転に切換回動の指示を前記ベルトコンベアの外方から行う駆動コントローラ部とを備え、
前記駆動部と前記駆動コントローラ部とが、前記ベルトコンベアの外方から駆動部へ伸ばされた給電コードで連結されていることを特徴とするベルトコンベアのストレッチャーユニット用駆動装置。
【請求項３】
無端状のベルトが差し渡される一組のテールローラのうちの何れか一方のテールローラの軸受位置をボールネジ機構のネジ軸を調整ボルトとしての回動で調整することによって前記無端状のベルトに対するテンションを変更するストレッチャーユニットを備えたベルトコンベアのストレッチャーユニット用駆動装置において、
前記ストレッチャーユニットの前記調整ボルトに連結する調整ボルト連結回動軸部と、
前記調整ボルト連結回動軸部を介して正回転又は逆回転に切換回動して前記調整ボルトを回動させる駆動部と、
前記駆動部を保持し、前記調整ボルト連結回動軸部を調整ボルトに連結した状態で前記ストレッチャーユニットに着脱自在に固定する取付部と、
前記駆動部の正回転又は逆回転に切換回動の指示を前記ベルトコンベアの外方から行う駆動コントローラ部とを備え、
前記駆動部と前記駆動コントローラ部とが、前記ベルトコンベアの外方から駆動部へ伸ばされた給電コードで連結されており、
前記駆動部と前記駆動コントローラ部とが、インパクトドライバー工具を分離して形成されたことを特徴とするベルトコンベアのストレッチャーユニット用駆動装置。
【請求項４】
無端状のベルトが差し渡される一組のテールローラのうちの何れか一方のテールローラの軸受位置をボールネジ機構のネジ軸を調整ボルトとしての回動で調整することによって前記無端状のベルトに対するテンションを変更するストレッチャーユニットを備えたベルトコンベアのストレッチャーユニット用駆動装置において、
前記ストレッチャーユニットの前記調整ボルトに連結する調整ボルト連結回動軸部と、
前記調整ボルト連結回動軸部を介して正回転又は逆回転に切換回動して前記調整ボルトを回動させる駆動部と、
前記駆動部を保持し、前記調整ボルト連結回動軸部を調整ボルトに連結した状態で前記ストレッチャーユニットに着脱自在に固定する取付部と、
前記駆動部の正回転又は逆回転に切換回動の指示を前記ベルトコンベアの外方から行う駆動コントローラ部とを備え、
前記駆動部と前記駆動コントローラ部とが、前記ベルトコンベアの外方から駆動部へ伸ばされた給電コードで連結されており、
前記駆動部と前記駆動コントローラ部とが、インパクトドライバー工具を分離して形成され、
前記ストレッチャーユニットの調整ボルトの一端に前記調整ボルト連結回動軸部を連結した状態で前記ストレッチャーユニットに着脱自在に前記駆動部を固定する取付部として、
前記調整ボルトの他端部に遊嵌される遊嵌孔を備え、ストレッチャーユニットの上部を覆うＬ字状の取付本体部と、
前記取付本体部の前記遊嵌孔と反対側の他端部に備わった前記駆動部を保持する駆動部保持部と、
前記駆動部と前記取付本体部との間に配された、前記駆動部の前記調整ボルト連結回動軸部を前記調整ボルトへ付勢する付勢手段とを備えたことを特徴とするベルトコンベアのストレッチャーユニット用駆動装置。
【請求項５】
無端状のベルトが差し渡される一組のテールローラのうちの何れか一方のテールローラの軸受位置をボールネジ機構のネジ軸を調整ボルトとしての回動で調整することによって前記無端状のベルトに対するテンションを変更するストレッチャーユニットを備えたベルトコンベアのストレッチャーユニット用駆動装置において、
前記ストレッチャーユニットの前記調整ボルトに連結する調整ボルト連結回動軸部と、
前記調整ボルト連結回動軸部を介して正回転又は逆回転に切換回動して前記調整ボルトを回動させる駆動部と、
前記駆動部を保持し、前記調整ボルト連結回動軸部を調整ボルトに連結した状態で前記ストレッチャーユニットに着脱自在に固定する取付部と、
前記駆動部の正回転又は逆回転に切換回動の指示を前記ベルトコンベアの外方から行う駆動コントローラ部とを備え、
前記駆動部と前記駆動コントローラ部とが、前記ベルトコンベアの外方から駆動部へ伸ばされた給電コードで連結されており、
前記駆動部と前記駆動コントローラ部とが、インパクトドライバー工具を分離して形成され、
前記ストレッチャーユニットの調整ボルトの一端に前記調整ボルト連結回動軸部を連結した状態で前記ストレッチャーユニットに着脱自在に前記駆動部を固定する取付部として、
前記ストレッチャーユニットに隣接するベルトコンベアの上部フレームに引っ掛けるフック部と、前記上部フレームに平行に配された滑り板部とを備えた取付本体部と、
前記取付本体部の滑り板部上をスライドして任意の位置で固定される滑り部と、滑り部から垂下された垂下部とを備えた駆動部位置調整部と、
前記駆動部位置調整部の垂下部上を上下にスライドして任意の位置で固定される高さ調整部と、前記駆動部に連結される駆動部固定部とを備えた駆動部係止部と、
前記駆動部と前記ストレッチャーユニットとの間に配された、前記駆動部の前記調整ボルト連結回動軸部を前記調整ボルトへ付勢する付勢手段とを備えたことを特徴とするベルトコンベアのストレッチャーユニット用駆動装置。
【考案の詳細な説明】
【技術分野】
【０００１】
本考案は、既存のベルトコンベアに備わっているストレッチャーユニットを離れた場所で調整可能な駆動装置に関するものである。
【背景技術】
【０００２】
多くのベルトコンベアについては、古いベルトを新しいベルトに交換した際のテンションの調整や、長期間の使用で伸長したベルトによる蛇行を解消するためにストレッチャーユニットを備えている。図６は既存のストレッチャーユニットを備えたベルトコンベアの構成を示す説明図であり、ａ図は正面図、ｂ図は平面図、ｃ図はストレッチャーユニットの拡大図である。図７はベルトコンベアの別のストレッチャーユニットの構成を示す説明図である。
【０００３】
図６に示す通り、溝形鋼製フレーム型ストレッチャーユニットは、ベルトコンベア６１の無端状のベルト６２が差し渡される２つのテールローラ６３、６４の何れか一方のテールローラ６３の左右軸受の位置を変更して前記無端状のベルトに対するテンションを変更する手動のテンションローラ調整手段としてのストレッチャーユニット６０をテールローラ６３の両端部に一対備えている。
【０００４】
図６の一対のストレッチャーユニット６０は、テールローラ６３の軸受６５をベルトコンベアの進行方向に沿って延在する下部のレール６６にスライド可能に配置され、軸受６５の上部に設けられたボールネジナット（図示せず）に螺合されている調整ボルト６７を回動することにより、テールローラ６３の軸受６５がレール長手方向の前後に移動することができるものである。
【０００５】
また、図７のストレッチャーユニット７０は、山形鋼製フレーム型ストレッチャーユニットであり、ベルトコンベア（図示せず）の一方のテールローラの両端部に一対で配置される。軸受７５を備えた矩形支持部７５ａを上下のレール７６ａ，７６ｂにスライド可能に配置され、軸受７５の矩形支持部７５ａの先端側に設けられたボールネジナットに螺合された調整ボルト７７を回動することにより、テールローラの軸受７５がレール長手方向の前後に移動することができるものである。
【０００６】
これらの手動のストレッチャーユニットでの調整については、駆動中に行うと、調整している作業者の衣服や手等を巻き込む重大な事故となる虞があるため、安全に調整を行うために、一旦駆動を停止した状態で調整し、その後、再度駆動して、その結果を見る操作を繰り返す必要がある。このため、調整を終えるのに何度も行う必要があった。
【０００７】
そこで、ベルトコンベアを動かしつつ調整することで、作業者に負担が掛かることなく遠隔操作および自動調整ができ、シンプルな機構のベルトコンベアの蛇行調整装置が提案されている（例えば、特許文献１参照）。
【先行技術文献】
【特許文献】
【０００８】
【特許文献１】特開平６−７２５２５号公報
【考案の概要】
【考案が解決しようとする課題】
【０００９】
この提案は、この機能を備えた新たなベルトコンベアを配置する場合には、充分にその効果を奏することができる。しかしながら、既存のベルトコンベアについては、手動の蛇行調整機に代えて設置する必要があり、既存のベルトコンベアの一対のストレッチャーユニット毎に設置するには多大な費用と労力とが必要となることは明白である。
【００１０】
本考案は、既存のベルトコンベアに備わっているストレッチャーユニットに簡単に設置することができ、ストレッチャーユニットを離れた場所で調整可能な駆動装置を得ることを目的とする。
【課題を解決するための手段】
【００１１】
請求項１に記載された考案に係るベルトコンベアのストレッチャーユニット用駆動装置は、無端状のベルトが差し渡される一組のテールローラのうちの何れか一方のテールローラの軸受位置をボールネジ機構のネジ軸を調整ボルトとしての回動で調整することによって前記無端状のベルトに対するテンションを変更するストレッチャーユニットを備えたベルトコンベアのストレッチャーユニット用駆動装置において、
前記ストレッチャーユニットの前記調整ボルトに連結する調整ボルト連結回動軸部と、
前記調整ボルト連結回動軸部を介して正回転又は逆回転に切換回動して前記調整ボルトを回動させる駆動部と、
前記駆動部を保持し、前記調整ボルト連結回動軸部を調整ボルトに連結した状態で前記ストレッチャーユニットに着脱自在に固定する取付部と、
前記駆動部の正回転又は逆回転に切換回動の指示を前記ベルトコンベアの外方から行う駆動コントローラ部とを備えたことを特徴とするものである。
【００１２】
請求項２に記載された考案に係るベルトコンベアのストレッチャーユニット用駆動装置は、無端状のベルトが差し渡される一組のテールローラのうちの何れか一方のテールローラの軸受位置をボールネジ機構のネジ軸を調整ボルトとしての回動で調整することによって前記無端状のベルトに対するテンションを変更するストレッチャーユニットを備えたベルトコンベアのストレッチャーユニット用駆動装置において、
前記ストレッチャーユニットの前記調整ボルトに連結する調整ボルト連結回動軸部と、
前記調整ボルト連結回動軸部を介して正回転又は逆回転に切換回動して前記調整ボルトを回動させる駆動部と、
前記駆動部を保持し、前記調整ボルト連結回動軸部を調整ボルトに連結した状態で前記ストレッチャーユニットに着脱自在に固定する取付部と、
前記駆動部の正回転又は逆回転に切換回動の指示を前記ベルトコンベアの外方から行う駆動コントローラ部とを備え、
前記駆動部と前記駆動コントローラ部とが、前記ベルトコンベアの外方から駆動部へ伸ばされた給電コードで連結されていることを特徴とするものである。
【００１３】
請求項３に記載された考案に係るベルトコンベアのストレッチャーユニット用駆動装置は、無端状のベルトが差し渡される一組のテールローラのうちの何れか一方のテールローラの軸受位置をボールネジ機構のネジ軸を調整ボルトとしての回動で調整することによって前記無端状のベルトに対するテンションを変更するストレッチャーユニットを備えたベルトコンベアのストレッチャーユニット用駆動装置において、
前記ストレッチャーユニットの前記調整ボルトに連結する調整ボルト連結回動軸部と、
前記調整ボルト連結回動軸部を介して正回転又は逆回転に切換回動して前記調整ボルトを回動させる駆動部と、
前記駆動部を保持し、前記調整ボルト連結回動軸部を調整ボルトに連結した状態で前記ストレッチャーユニットに着脱自在に固定する取付部と、
前記駆動部の正回転又は逆回転に切換回動の指示を前記ベルトコンベアの外方から行う駆動コントローラ部とを備え、
前記駆動部と前記駆動コントローラ部とが、前記ベルトコンベアの外方から駆動部へ伸ばされた給電コードで連結されており、
前記駆動部と前記駆動コントローラ部とが、インパクトドライバー工具を分離して形成されたことを特徴とするものである。
【００１４】
請求項４に記載された考案に係るベルトコンベアのストレッチャーユニット用駆動装置は、無端状のベルトが差し渡される一組のテールローラのうちの何れか一方のテールローラの軸受位置をボールネジ機構のネジ軸を調整ボルトとしての回動で調整することによって前記無端状のベルトに対するテンションを変更するストレッチャーユニットを備えたベルトコンベアのストレッチャーユニット用駆動装置において、
前記ストレッチャーユニットの前記調整ボルトに連結する調整ボルト連結回動軸部と、
前記調整ボルト連結回動軸部を介して正回転又は逆回転に切換回動して前記調整ボルトを回動させる駆動部と、
前記駆動部を保持し、前記調整ボルト連結回動軸部を調整ボルトに連結した状態で前記ストレッチャーユニットに着脱自在に固定する取付部と、
前記駆動部の正回転又は逆回転に切換回動の指示を前記ベルトコンベアの外方から行う駆動コントローラ部とを備え、
前記駆動部と前記駆動コントローラ部とが、前記ベルトコンベアの外方から駆動部へ伸ばされた給電コードで連結されており、
前記駆動部と前記駆動コントローラ部とが、インパクトドライバー工具を分離して形成され、
前記ストレッチャーユニットの調整ボルトの一端に前記調整ボルト連結回動軸部を連結した状態で前記ストレッチャーユニットに着脱自在に前記駆動部を固定する取付部として、
前記調整ボルトの他端部に遊嵌される遊嵌孔を備え、ストレッチャーユニットの上部を覆うＬ字状の取付本体部と、
前記取付本体部の前記遊嵌孔と反対側の他端部に備わった前記駆動部を保持する駆動部保持部と、
前記駆動部と前記取付本体部との間に配された、前記駆動部の前記調整ボルト連結回動軸部を前記調整ボルトへ付勢する付勢手段とを備えたことを特徴とするものである。
【００１５】
請求項５に記載された考案に係るベルトコンベアのストレッチャーユニット用駆動装置は、無端状のベルトが差し渡される一組のテールローラのうちの何れか一方のテールローラの軸受位置をボールネジ機構のネジ軸を調整ボルトとしての回動で調整することによって前記無端状のベルトに対するテンションを変更するストレッチャーユニットを備えたベルトコンベアのストレッチャーユニット用駆動装置において、
前記ストレッチャーユニットの前記調整ボルトに連結する調整ボルト連結回動軸部と、
前記調整ボルト連結回動軸部を介して正回転又は逆回転に切換回動して前記調整ボルトを回動させる駆動部と、
前記駆動部を保持し、前記調整ボルト連結回動軸部を調整ボルトに連結した状態で前記ストレッチャーユニットに着脱自在に固定する取付部と、
前記駆動部の正回転又は逆回転に切換回動の指示を前記ベルトコンベアの外方から行う駆動コントローラ部とを備え、
前記駆動部と前記駆動コントローラ部とが、前記ベルトコンベアの外方から駆動部へ伸ばされた給電コードで連結されており、
前記駆動部と前記駆動コントローラ部とが、インパクトドライバー工具を分離して形成され、
前記ストレッチャーユニットの調整ボルトの一端に前記調整ボルト連結回動軸部を連結した状態で前記ストレッチャーユニットに着脱自在に前記駆動部を固定する取付部として、
前記ストレッチャーユニットに隣接するベルトコンベアの上部フレームに引っ掛けるフック部と、前記上部フレームに平行に配された滑り板部とを備えた取付本体部と、
前記取付本体部の滑り板部上をスライドして任意の位置で固定される滑り部と、滑り部から垂下された垂下部とを備えた駆動部位置調整部と、
前記駆動部位置調整部の垂下部上を上下にスライドして任意の位置で固定される高さ調整部と、前記駆動部に連結される駆動部固定部とを備えた駆動部係止部と、
前記駆動部と前記ストレッチャーユニットとの間に配された、前記駆動部の前記調整ボルト連結回動軸部を前記調整ボルトへ付勢する付勢手段とを備えたことを特徴とするものである。
【考案の効果】
【００１６】
本考案は、既存のベルトコンベアに備わっているストレッチャーユニットに簡単に設置することができ、ストレッチャーユニットを離れた場所で調整することが可能となるという効果がある。
【図面の簡単な説明】
【００１７】
【図１】本考案のベルトコンベアのストレッチャーユニット用駆動装置の一実施例の構成を示す説明図である。
【図２】図１の駆動装置の取付手段の構成を示す説明図であり、ａ図は平面図、ｂ図は正面図、ｃ図は底面図、ｄ図は左側面図である。
【図３】本考案のベルトコンベアのストレッチャーユニット用駆動装置の別の実施例の構成を示す説明図である。
【図４】図３の駆動装置の取付手段の構成部品を示す説明図であり、ａ図は取付部の正面図であり、ｂ図は調整部の正面図であり、ｃ図は駆動部保持部の正面図である。
【図５】図４の構成部品を組み合わせた駆動装置の取付手段の説明図であり、ａ図は正面図であり、ｂ図は側面図である。
【図６】既存のストレッチャーユニットを備えたベルトコンベアの構成を示す説明図であり、ａ図は正面図、ｂ図は平面図、ｃ図はストレッチャーユニットの拡大図である。
【図７】ベルトコンベアの別のストレッチャーユニットの構成を示す説明図である。
【考案を実施するための形態】
【００１８】
本考案においては、無端状のベルトが差し渡される一組の何れか一方のテールローラの軸受位置を調整ボルトの回動で変更して無端状のベルトに対するテンションを変更するストレッチャーユニットを備えたベルトコンベアのストレッチャーユニット用駆動装置において、ストレッチャーユニットの調整ボルトに連結する調整ボルト連結回動軸部と、調整ボルト連結回動軸部を正回転又は逆回転に切換回動して調整ボルトを回動する駆動部と、駆動部を保持し、調整ボルト連結回動軸部を調整ボルトに連結した状態でストレッチャーユニットに着脱自在に固定する取付部と、駆動部の正回転又は逆回転に切換回動の指示をベルトコンベアの外方から行う駆動コントローラ部とを備える。
【００１９】
これにより、既存のベルトコンベアに備わっているストレッチャーユニットに簡単に設置することができ、ストレッチャーユニットを離れた場所で調整することが可能となる。即ち、既存のストレッチャーユニットに簡単に着脱することができ、ストレッチャーユニットの調整ボルトを離れた場所で正逆回転するためのものであればよい。従って、本考案のストレッチャーユニット用駆動装置を少なくとも２台を準備しておき、調整が必要と判断されたベルトコンベアの一対のストレッチャーユニットに本考案のストレッチャーユニット用駆動装置を取付・設置し、ベルトコンベアを駆動しながら、離れた場所で各々の駆動コントローラを操作して調整することができる。
【００２０】
本考案の調整ボルト連結回動軸部としては、ストレッチャーユニットの調整ボルトに連結するものであればよく、調整ボルトの端部に表出されたねじ溝や外形に合致した形状のものを駆動部の駆動軸の先端に配することで連結することができる。
【００２１】
本考案の駆動部としては、調整ボルト連結回動軸部を正回転又は逆回転に切換回動して調整ボルトを回動するものであればよく、通常のモータとギアボックスとで構成される。モータの負荷等を考慮して、トルク制御を行えるものが好ましい。これらの条件から、インパクトドライバー工具を分離して形成されたものが更に好ましい。
【００２２】
本考案の駆動コントローラ部としては、駆動部の正回転又は逆回転に切換回動の指示をベルトコンベアの外方から行うものであればよい。駆動部の正逆回転を行うためには、ギアの切換よりも直流モータに給電する電流の向きを変更するものが好ましい。このため、駆動部と前記駆動コントローラ部とが、駆動部に給電する給電コードで連結されているものであればよい。このため、駆動部と前記駆動コントローラ部とが、前記ベルトコンベアの外方から駆動部へ伸ばされた給電コードで連結されているものが好ましい。
【００２３】
尚、給電コードの長さとしては、作業者が作業中にベルトコンベアの回動に巻き込まれない程度に遠く、尚且つ、目視をしながら調整を行うことができる近さであればよく、１ｍ〜１０ｍ程度、より好ましくは、２ｍ〜８ｍ程度であればよい。
【００２４】
本考案の取付部としては、駆動部を保持し、前記調整ボルト連結回動軸部を調整ボルトに連結した状態で前記ストレッチャーユニットに着脱自在に固定するものであればよい。既存のベルトコンベアのストレッチャーユニットとしては、溝形鋼製フレーム型ストレッチャーユニットと、山形鋼製フレーム型ストレッチャーユニットとがあるため、これら２種類のストレッチャーユニットに適合されるものであればよい。
【００２５】
例えば、溝形鋼製フレーム型ストレッチャーユニットとしては、ストレッチャーユニットの調整ボルトの一端に連結した状態で前記ストレッチャーユニットに着脱自在に固定する取付部として、調整ボルトの他端部に遊嵌される遊嵌孔を備え、ストレッチャーユニットの上部を覆うＬ字状の取付本体部と、取付本体部の遊嵌孔と反対側の他端部に備わった前記駆動部を保持する駆動部保持部と、駆動部と取付本体部との間に配された、駆動部の調整ボルト連結回動軸部を調整ボルトへ付勢する付勢手段とを備えたものであればよい。
【００２６】
更に、山形鋼製フレーム型ストレッチャーユニットとしては、ストレッチャーユニットの調整ボルトの一端に連結した状態でストレッチャーユニットに着脱自在に固定する取付部として、ストレッチャーユニットに隣接するベルトコンベアの上部フレームに引っ掛けるフック部と上部フレームに平行に配された滑り板部とを備えた取付本体部と、取付本体部の滑り板部上をスライドして任意の位置で固定される滑り部と滑り部から垂下された垂下部とを備えた駆動部位置調整部と、駆動部位置調整部の垂下部上を上下にスライドして任意の位置で固定される高さ調整部と駆動部に連結される駆動部固定部とを備えた駆動部係止部と、駆動部と前記ストレッチャーユニットとの間に配された駆動部の前記調整ボルト連結回動軸部を調整ボルトへ付勢する付勢手段とを備えたものであればよい。
【実施例】
【００２７】
図１は本考案のベルトコンベアのストレッチャーユニット用駆動装置の一実施例の構成を示す説明図である。図２は図１の駆動装置の取付手段の構成を示す説明図であり、ａ図は平面図、ｂ図は正面図、ｃ図は底面図、ｄ図は左側面図である。
【００２８】
図１は本実施例のストレッチャーユニット用駆動装置２０をベルトコンベアの溝形鋼製フレーム型ストレッチャーユニット１０に取付けた例を示している。溝形鋼製フレーム型ストレッチャーユニット１０は、図６と同様に、図示しないベルトコンベアの一方のテールローラの両端部に一対で配置される。軸受１５を下部のベルトコンベアの進行方向に沿って延在するレール１６にスライド可能に配置され、軸受１５の上部に設けられたボールネジナット（図示せず）に螺合されている調整ボルト１７を回動することにより、テールローラの軸受１５がレール長手方向の前後に移動するものである。
【００２９】
ストレッチャーユニット用駆動装置２０は、ストレッチャーユニット１０の調整ボルト１７に連結する調整ボルト連結回動軸部２１と、調整ボルト連結回動軸部２１を正回転又は逆回転に切換回動して調整ボルト１７を回動する駆動部２２と、駆動部２２の正回転又は逆回転に切換回動の指示をベルトコンベアの外方から行う駆動コントローラ部２３と、駆動部２２を保持して調整ボルト連結回動軸部２１を調整ボルト１７に連結した状態でストレッチャーユニット１０に着脱自在に固定する取付部２５とを備える。
【００３０】
駆動部２２と駆動コントローラ部２３とは、市販のインパクトドライバー工具の駆動部とコントローラ部とを分離して給電コード２４と、駆動部２２の正逆転及びトルク出力を制御する制御盤２４ａを介して連結されている。駆動部２２の正回転又は逆回転に切換は、駆動コントローラ部２３のトリガーの切換及び押し込み量の差違で給電コード２４で給電される電流の流れを変更して行われる。
【００３１】
ストレッチャーユニット１０の調整ボルト１７の一端に連結した状態でストレッチャーユニット１０に着脱自在に固定する取付部２５は、図２に示す通り、ストレッチャーユニット１０の上部を覆う取付本体部２６は先端部がＬ字状に曲折し、その垂下部分には調整ボルト１７の他端部に遊嵌される遊嵌孔２６ａを備えている。取付本体部２６の長手方向両側部はストレッチャーユニット１０の上部の長手方向両側部を覆うように側壁を備え、これら両側壁は本体部の状部に配された複数の調整ネジ２６ｂで両者の間隙寸法を変更することができる。
【００３２】
取付本体部２６の遊嵌孔２６ａでない他端部は、駆動部２２の回動軸が調整ボルト１７と同軸となるように折れ板で形成された駆動部保持部２７を備え、その後端部で駆動部２２を駆動部保持部２７に差し込んで固定する。駆動部２２と取付本体部２６との間には、駆動部２２の調整ボルト連結回動軸部２１を調整ボルト１７へ付勢する付勢手段としてゴム状弾性体２９が駆動部２２の取付部２９ａと取付本体部２６の取付部２９ｂとに渡されている。尚、ゴム状弾性体２９は、ストレッチャーユニットの裏面側の同じ位置にも取り付けられている。
【００３３】
即ち、ストレッチャーユニット用駆動装置２０の取付本体部２６の遊嵌孔２６ａをストレッチャーユニット１０の調整ボルト１７の一端に嵌めて取付本体部２６をストレッチャーユニット１０の上部に沿わした後に、調整ボルト連結回動軸部２１でストレッチャーユニット１０の調整ボルト１７に連結する。その後、２本のゴム状弾性体２９を駆動部２２の取付部２９ａと取付本体部２６の取付部２９ｂとに配して、調整ボルト連結回動軸部を前記調整ボルトへ付勢する。
【００３４】
これを一対のストレッチャーユニット１０に取付けてベルトコンベアを駆動しながら、ベルトコンベアから離れた場所で目視をしながら２つのストレッチャーユニット用駆動装置２０の各々の駆動コントローラ部２３で調整する。１つのベルトコンベアの調整が終了したら、個々のストレッチャーユニット用駆動装置２０を取り外して、他のベルトコンベアに取付けて調整すればよい。
【００３５】
図３は本考案のベルトコンベアのストレッチャーユニット用駆動装置の別の実施例の構成を示す説明図である。図４は図３の駆動装置の取付手段の構成部品を示す説明図であり、ａ図は取付部の平面図と側面図とであり、ｂ図は調整部の平面図と側面図とであり、ｃ図は駆動部保持部の平面図と側面図とである。図５は図４の構成部品を組み合わせた駆動装置の取付手段の平面図と側面図とである。
【００３６】
図３は別の実施例のストレッチャーユニット用駆動装置４０をベルトコンベアの山形鋼製フレーム型ストレッチャーユニット３０に取付けた例を示している。山形鋼製フレーム型ストレッチャーユニット３０は、図示しないベルトコンベアの一方のテールローラの両端部に一対で配置される。軸受３５を備えた矩形支持部３５ａを上下のレール３６ａ，ｂにスライド可能に配置され、軸受３５の矩形支持部３５ａの一端側に配された調整ボルト３７を回動することにより、テールローラの軸受３５がレール長手方向の前後に移動するものである。
【００３７】
ストレッチャーユニット用駆動装置４０は、ストレッチャーユニット３０の調整ボルト３７に連結する調整ボルト連結回動軸部４１と、調整ボルト連結回動軸部４１を正回転又は逆回転に切換回動して調整ボルト３７を回動する駆動部４２と、駆動部４２を保持して調整ボルト連結回動軸部４１を調整ボルト３７に連結した状態でストレッチャーユニット３０に着脱自在に固定する取付部４５とを備える。尚、図示していないが、図１の実施例と同様に、本実施例のストレッチャーユニット用駆動装置４０についても、駆動部４２の正回転又は逆回転に切換回動の指示をベルトコンベアの外方から行う駆動コントローラ部を備える。
【００３８】
更に、駆動部４２と駆動コントローラ部とは、図１の実施例と同様に、市販のインパクトドライバー工具の駆動部とコントローラ部とを分離して給電コード４４及び制御盤（？）を介して連結される。駆動部４２の正回転又は逆回転への切換は、駆動コントローラ部のトリガーの切換で給電コード４４で給電される電流の流れを変更して行われる。
【００３９】
ストレッチャーユニット３０の調整ボルト３７の一端に連結した状態でストレッチャーユニット３０に着脱自在に固定する取付部４５は、図４及び図５に示す通り、取付本体部４６と駆動部位置調整部４７と駆動部係止部４８とからなる。取付本体部４６はストレッチャーユニット３０に隣接するベルトコンベアの上部フレーム３１に引っ掛けるフック部４６ａと、上部フレーム３１に平行に配された滑り板部４６ｂと、フック部４６ａから下方に降ろされたベルトコンベアの下部フレーム３２に当接される当接部４６ｃとを備える。
【００４０】
駆動部位置調整部４７は、取付本体部４６の滑り板部４６ｂ上をスライドして任意の位置で固定される滑り部４７ａと、滑り部４７ａから垂下された垂下部４７ｂとを備える。駆動部係止部４８は、駆動部位置調整部４７の垂下部４７ｂ上を上下にスライドして任意の位置で固定される高さ調整部４８ａと、駆動部４２に連結される駆動部固定部４８ｂとを備える。
【００４１】
また、取付部４５に固定された駆動部４２とストレッチャーユニット３０とは、付勢手段として２本のゴム状弾性体４９を駆動部４２の取付部４９ａとストレッチャーユニット３０の取付部４９ｂとに配して、調整ボルト連結回動軸部４１を調整ボルト３７へ付勢する。
【００４２】
本実施例のストレッチャーユニット用駆動装置４０の取付は、次の通りである。先ず、取付部４５の取付本体部４６のフック部４６ａをコンベアの上部フレーム３１に取付けた上で、駆動部位置調整部４７の図示していない固定ネジを緩めて駆動部４２の回転軸である調整ボルト連結回動軸部４１の高さ位置と調整ボルト３７との高さ位置とを合わせて前記固定ネジを緊締して位置を固定する。
【００４３】
次に、フック部４６ａを横に移動させて調整ボルト連結回動軸部４１と調整ボルト３７とを固定する。最後に駆動部４２の取付部４９ａで一端を固定された２本のゴム状弾性体４９の他端をストレッチャーユニット３０の取付部４９ｂとに配して、調整ボルト連結回動軸部４１を調整ボルト３７へ付勢する。
【００４４】
これを一対のストレッチャーユニット３０に取付けてベルトコンベアを駆動しながら、ベルトコンベアから離れた場所で目視をしながら２つのストレッチャーユニット用駆動装置４０の各々の図示しない駆動コントローラ部で調整する。１つのベルトコンベアの調整が終了したら、個々のストレッチャーユニット用駆動装置４０を取り外して、他のベルトコンベアに取付けて調整すればよい。
【符号の説明】
【００４５】
１０  、３０  …ストレッチャーユニット、
３１  …上部フレーム、
３２  …下部フレーム、
１５  、３５  …軸受、
３５ａ…矩形支持部、
１６          …レール、
１７  、３７  …調整ボルト、
２０  、４０  …ストレッチャーユニット用駆動装置、
２１  、４１  …調整ボルト連結回動軸部、
２２  、４２  …駆動部、
２３          …駆動コントローラ部、
２４  、４４  …給電コード、
２４ａ        …制御盤、
２５  、４５  …取付部、
２６  、４６  …取付本体部、
２６ａ        …遊嵌孔、
２６ｂ        …調整ネジ、
４６ａ…フック部、
４６ｂ…滑り板部、
４６ｃ…当接部、
２７          …駆動部保持部、
４７  …駆動部位置調整部、
４７ａ…滑り部、
４７ｂ…垂下部、
４８  …駆動部係止部、
４８ａ…高さ調整部、
４８ｂ…駆動部固定部、
２９  、４９  …ゴム状弾性体（付勢手段）、
２９ａ、４９ａ…取付部、
２９ｂ、４９ｂ…取付部、
【図１】
0003218937.tif 000003
【図２】
0003218937.tif 000004
【図３】
0003218937.tif 000005
【図４】
0003218937.tif 000006
【図５】
0003218937.tif 000007
【図６】
0003218937.tif 000008
【図７】
0003218937.tif 000009